(57)【要約】      （修正有）【課題】防災時や非常時やアウトドア等、多目的に使用出来、且つ、持ち運びや保管が楽に出来、又、衛生面や安全性・経済性に優れたペットボトル内蔵型照明器具兼多目的収納具を提供する。【解決手段】ペットボトル本体ＰＢとキャップＣＡと円筒型収納用防水ケース１と円筒型ライトＬから成り、且つ、該円筒型収納用防水ケースは、ペットボトル口の内部に嵌挿可能で、且つ、円筒型ライトを収納可能な底蓋付円筒型ケースと、該底蓋付円筒型ケースの上端部にペットボトル口に螺着可能なキャップ部とキャップの上部に既設のキャップが取り付け可能なキャップ取り付け口を一体形成して設けた雄雌ネジ付キャップから成る。【選択図】図２
0003111626.tif 000002
【実用新案登録請求の範囲】
【請求項１】
防災時や非常時やアウトドア等で使用する照明器具兼多目的収納具であって、該照明器具兼多目的収納具はペットボトル本体（ＰＢ）とキャップ（ＣＡ）と円筒型収納用防水ケース（１）と円筒型ライト（Ｌ）から成り、且つ、該円筒型収納用防水ケース（１）は、ペットボトル口の内部に嵌挿可能で、且つ、円筒型ライト（Ｌ）を収納可能な底蓋付円筒型ケース（１ａ）と、該底蓋付円筒型ケース（１ａ）の上端部にペットボトル口に螺着可能なキャップ部とキャップの上部に既設のキャップ（ＣＡ）が取り付け可能なキャップ取り付け口を一体形成して設けた雄雌ネジ付キャップ（１ｂ）から成る事を特徴とするペットボトル内蔵型照明器具兼多目的収納具。
【考案の詳細な説明】
【技術分野】
【０００１】
この考案は、防災時や非常時やアウトドア等で使用するペットボトル内蔵型照明器具兼多目的収納具に関するものである。
【背景技術】
【０００２】
従来、照明燈は使用する場所や目的に応じた様々な大きさや形状や機能を有するものが市販され、使用されているが、普段はあまり使用しない事が多い為、いざという時には何処に収めたか判らなくなり、探すのに一苦労する事が多い。
【０００３】
又、災害時等、通常であればペットボトルに入った飲料水と懐中電灯はそれぞれ別々の物であり、持ち出す手間と場所が２倍必要である。
【０００４】
又、最近では小型で明るく、持ち運びに便利なペン型ライトや、防災時又は釣り・アウトドア等で使用する携帯ラジオ付ライト等が良く見かけられる。しかし、これまでに市販されている懐中電灯等の照明燈で、水中で使用出来るものはコストが高く、一般的にはあまり見かけられない。そこで、既存のペットボトルを使用して誰もが簡単に組み立てられ、且つ、安価で便利で水中使用可能な照明器具兼多目的収納具の開発が望まれている。
【０００５】
これまでに、出願されているペン型ライトの特許文献を参考の為に紹介する。（特許文献１〜２参照。）
【特許文献１】特許公開２００４−０２２４６７
【特許文献２】特許公開２００４−２６５８４７
【考案の開示】
【考案が解決しようとする課題】
【０００６】
そこで、上記課題を解決する為に、この考案は防災時や非常時やアウトドア等、多目的に使用出来、且つ、持ち運びや保管が楽に出来、又、衛生面や安全性・経済性に優れたペットボトル内蔵型照明器具兼多目的収納具の開発・提供をする事にある。
【課題を解決するための手段】
【０００７】
この課題を解決する為の手段として、照明器具兼多目的収納具はペットボトル本体とキャップと円筒型収納用防水ケースと円筒型ライトから成り、且つ、該円筒型収納用防水ケースは、ペットボトル口の内部に嵌挿可能で、且つ、円筒型ライトを収納可能な底蓋付円筒型ケースと、該底蓋付円筒型ケースの上端部にペットボトル口に螺着可能なキャップ部とキャップの上部に既設のキャップが取り付け可能なキャップ取り付け口を一体形成して設けた雄雌ネジ付キャップから成るものである。
【考案の効果】
【０００８】
この考案の効果として、ペットボトル本体とキャップと円筒型収納用防水ケースと円筒型ライトから成り、且つ、該円筒型収納用防水ケースは、ペットボトル口の内部に嵌挿可能で、且つ、円筒型ライトを収納可能な底蓋付円筒型ケースと、該底蓋付円筒型ケースの上端部にペットボトル口に螺着可能なキャップ部とキャップの上部に既設のキャップが取り付け可能なキャップ取り付け口を一体形成して設けた雄雌ネジ付キャップから成り、又、円筒型収納用防水ケースの底蓋付円筒型ケースの底蓋部に、ほぼ半球状の凸レンズ部を形成して設けた事で、防災時や非常時やアウトドア等、多目的に使用出来、且つ、持ち運びや保管が楽に出来、又、衛生面や安全性・経済性に優れている。
【０００９】
又、本考案はペットボトルとケース入りの照明燈を一体化する事で、災害時等、緊急時に素早く対応出来、且つ、場所を取らない為、精神的な余裕が出来る。
【００１０】
又、ペットボトルの中に水を入れて照明燈（円筒型ライト）を照らせば、水の屈折現象によって全体が明るく成り、照明効果が倍増する。更に水上で灯す救命用ブイや水中ライトとしても使用出来、又、箸やスプーン等を入れる収納具としても使用出来る為、非常に便利で有る等、極めて有益なる効果を奏するものである。
【考案を実施するための最良の形態】
【００１１】
この考案の最良の形態として、ペットボトルの大きさは照明燈（円筒型ライト）を内蔵する為、容量的に若干減少する為、やや大きめな１Ｌサイズの物を使用する事が、照明効果も増し手頃である。但し、救命用ブイとして使用する場合はやや大きめな２Ｌサイズのペットボトル方が目立ち易く、効果的である。
【実施例１】
【００１２】
そこで、この考案の一実施例を図１〜図２に基づいて詳述すると、防災時や非常時やアウトドア等で使用する照明器具兼多目的収納具であって、該照明器具兼多目的収納具はペットボトル本体（ＰＢ）とキャップ（ＣＡ）と円筒型収納用防水ケース（１）と円筒型ライト（Ｌ）から成り、且つ、該円筒型収納用防水ケース（１）は、ペットボトル口の内部に嵌挿可能で、且つ、円筒型ライト（Ｌ）を収納可能な底蓋付円筒型ケース（１ａ）と、該底蓋付円筒型ケース（１ａ）の上端部にペットボトル口に螺着可能なキャップ部とキャップの上部に既設のキャップ（ＣＡ）が取り付け可能なキャップ取り付け口を一体形成して設けた雄雌ネジ付キャップ（１ｂ）から成る事を特徴とするペットボトル内蔵型照明器具兼多目的収納具から構成される。
【００１３】
次に、この考案の組立手順について説明すると、まず、ペットボトル（ＰＢ）を用意し、図２に示す円筒型収納用防水ケース（１）の中に円筒型ライト（Ｌ）を差し込み、持続的に点灯した状態で使用する時は、円筒型ライト（Ｌ）を点灯させた後、ケース内部に挿入し、ケース上部に設けた深溝部（１ａＨ）に固定させて、キャップ（ＣＡ）の下面が円筒型ライト（Ｌ）のスィッチに干渉しない様にセットして、キャップ（ＣＡ）で蓋をする。そして、円筒型収納用防水ケース（１）をペットボトル（ＰＢ）の口に挿入し、雄雌ネジ付キャップ（１ｂ）の雌ネジ部でしっかり固着する。又、前記の雄雌ネジ付キャップ（１ｂ）の雄ネジ部（１ｃ）と雌ネジ部（１ｄ）はペットボトル口のネジ部に適合した寸法形状に形成したものである。
【００１４】
又、円筒型ライト（Ｌ）を点燈したり消燈させたりしたい時は、円筒型ライト（Ｌ）をケース上部に設けた浅溝部（１ａＬ）にセットすると、キャップ締め込み時にキャップ下面が円筒型ライト（Ｌ）のスィッチを押圧して点灯し、キャップ（ＣＡ）を緩めればキャップ下面が円筒型ライト（Ｌ）のスィッチから離れて消燈する様に成っている。そして、組立手順は上記と同様の手順で行う。
【００１５】
次に、この考案の使用方法の一例について説明すると、図３に示す様に水中ライトとして使用する場合は、ペットボトル（ＰＢ）の中に水（Ｗ）を適量入れて使用すれば、浮力が抑えられて取り扱いが容易で照明器具としても光が水の屈折により全体が明るく成って効果的である。
【００１６】
又、図４に示す様に、別件で関連出願（実願２００５−００１９９４）済みのクリップ付ペットボトル用キャップ（ＣＡ’）と組み合わせて使用し、クリップ部に非常燈等の表示カード（ＣＣ）を係止する事で、災害時等緊急時に良く目立って対応が素早く出来、非常燈としての効果も大きい。
【００１７】
更に、図５に示す様に、キャップ上部にストラップ等のアクセサリー（ＡＣ）を係止する事で、フック等にぶら下げて使用する事も可能と成り、持ち運び時にも非常に便利である。
【実施例２】
【００１８】
その他の事例として、この考案の円筒型収納用防水ケース（１）の中に箸やスプーン等を入れてキャンプや遠足や登山等のアウトドア時に使用すれば非常に便利である。
【００１９】
又、水上で灯す救命用ブイとして使用する際には、ペットボトルのサイズがやや大きめな２Ｌサイズの物を使用した方が、良く目立つ為、更に効果も大きい。
【産業上の利用可能性】
【００２０】
この考案のペットボトル内蔵型照明器具兼多目的収納具は、防災時や非常時やアウトドア等、多目的に使用出来、且つ、持ち運びや保管が楽に出来、又、衛生面や安全性・経済性に優れ、災害時等、緊急時に素早く対応出来、且つ、場所を取らない為、精神的な余裕が出来る等、多くの市場に寄与する点で産業上の利用可能性を有する。
【図面の簡単な説明】
【００２１】
【図１】この考案の一実施例を示し、（Ａ）は円筒型収納用防水ケースの平面図で、（Ｂ）は正面視断面図である。
【図２】この考案の一実施例を示し、全体組立図の一部欠截正面図である。
【図３】この考案の使用例を示し、水中使用時の正面図である。
【図４】この考案の使用例を示し、災害時等非常燈として使用時の正面図である。
【図５】この考案の使用例を示し、フック等にぶら下げて使用時の正面図である。
【符号の説明】
【００２２】
１  円筒型収納用防水ケース
１ａ  透明底蓋付円筒型ケース
１ｂ  雄雌ネジ付キャップ
１ｃ  雄ネジ部
１ｄ  雌ネジ部
１ａＨ  深溝部
１ａＬ  浅溝部
ＡＣ  ストラップ等のアクセサリー
ＣＡ  キャップ
ＣＡ’  クリップ付ペットボトル用キャップ
ＣＣ  カード
Ｌ  円筒型ライト
ＰＢ  ペットボトル
Ｗ  水
【図１】
0003111626.tif 000003
【図２】
0003111626.tif 000004
【図３】
0003111626.tif 000005
【図４】
0003111626.tif 000006
【図５】
0003111626.tif 000007